(57)【要約】【課題】前ケースと後ケースとの係合構造を利用してファンケースを強固に挟持固定できる一方、必要時には後ケースを前ケースから容易に分解して、本体ケース内の部品の補修や交換をより少ない手間で簡便に行えるようにした温風乾燥機を提供する。【解決手段】本体ケース１の内部に、送風ユニット３とヒーターユニット４とを設ける。本体ケース１は、前ケース１０と後ケース１１とで構成し、前後ケース１０・１１の係合構造を利用して、送風ユニット３のファンケース１７を挟持固定する。係合構造は、前ケース１０の後端周面に設けた係合爪３６と、後ケース１１の前端内面に設けた係合凹部３８とで構成する。前ケース１０の後端周面に形成される一対のスリット４０間に係合爪３６を配置して、係合爪３６を内外方向へ弾性変形可能に構成する。【選択図】図１
2006305014.tif 000002
【特許請求の範囲】
【請求項１】
中空筒状の本体ケース（１）の内部に、乾燥風を送給する送風ユニット（３）と、送風ユニット（３）から送出される乾燥風を加熱するヒーターユニット（４）とが設けられており、
本体ケース（１）は、前ケース（１０）と、前ケース（１０）に対して係合装着される後ケース（１１）とで構成されており、
前後ケース（１０・１１）の接合部分に設けられる係合構造を利用して、送風ユニット（３）のファンケース（１７）が挟持固定されており、
係合構造が、前ケース（１０）の後端周面に設けた係合爪（３６）と、後ケース（１１）の前端内面に設けた係合凹部（３８）とで構成されており、
前ケース（１０）の後端周面に形成される一対のスリット（４０）の間に係合爪（３６）を配置して、係合爪（３６）が内外方向へ弾性変形可能に構成してあることを特徴とする温風乾燥機。
【請求項２】
前ケース（１０）とファンケース（１７）との接合部分に、互いに係合してファンケース（１７）が周方向へ回転するのを阻止する位置決め構造が設けられており、
ファンケース（１７）の前ケース（１０）との接合部に、係合爪（３６）の弾性変形を許す逃げ凹部（２０）が凹み形成されており、
位置決め構造が、前ケース（１０）とファンケース（１７）との一方に設けられる位置決め突起（４１）と、他方に設けられて位置決め突起（４１）に係合する位置決め凹部（２１）とを含む請求項１記載の温風乾燥機。
【請求項３】
係合爪（３６）の周方向両側に設けたスリット（４０）に連続して位置決め突起（４１）が形成されている請求項１または２記載の温風乾燥機。
【請求項４】
後ケース（１１）の後部内面に、ベルマウス構造の導風壁（４６）が一体に形成されている請求項１または２または３記載の温風乾燥機。
【請求項５】
後ケース（１１）の吸込口（１３）が吸込グリル（１４）で覆われており、
吸込グリル（１４）は、筒周壁（１４ａ）と、通気自在なグリル主壁（１４ｂ）と、筒周壁（１４ａ）の周方向複数箇所に設けた掛止脚片（１４ｃ）とを備えており、
後ケース（１１）と導風壁（４６）とが溝内周壁（４７）と溝内奥壁（４８）とを介して一体化されて、後ケース（１１）の後端内面と溝内周壁（４７）との間に、吸込グリル（１４）の筒周壁（１４ａ）を受け入れる装着溝（４９）が形成されており、
吸込グリル（１４）の掛止脚片（１４ｃ）が、装着溝（４９）の内奥に設けた挿通口（５２）に挿通されて、溝内奥壁（４８）に折り曲げ掛止してある請求項４記載の温風乾燥機。
【請求項６】
装着溝（４９）の内奥に設けた挿通口（５２）が、斜め内向きに傾斜する状態で形成されており、
吸込グリル（１４）の掛止脚片（１４ｃ）を挿通口（５２）に挿通した状態において、掛止脚片（１４ｃ）が挿通口（５２）で屈曲案内されて、吸込グリル（１４）を後ケース（１１）に仮止め固定できる請求項５記載の温風乾燥機。
【発明の詳細な説明】
【技術分野】
【０００１】
本発明は、ヘアードライヤーに代表される温風乾燥機に関し、メンテナンス作業に関連してそのケース構造を改良したものである。
【背景技術】
【０００２】
本発明のケース構造に関して、本体ケースの内部に装填したファンケースを、本体ケースの前ケースと後ケースとで遊動不能に挟持固定することは公知である（特許文献１、２参照）。特許文献１のヘアードライヤーでは、本体ケースを前ケースと後ケースとで構成しており、両ケースの接合部分に設けられる係合構造を利用して、ファンケースを挟持固定している。
【０００３】
係合構造は、前ケースの後側の開口周壁の外面３個所に形成した係合突起と、これらの係合突起に対応して後ケースの開口内面に凹み形成した係合凹部とで構成してある。そこでは、前ケースの内部にヒーターユニットやファンユニットを組み込んだ後、後ケースを前ケースに接合して、各係合凹部を対応する係合爪に係合固定することにより、ファンケースを前後ケースで挟持固定できる。特許文献２においても同様の接合構造を採るが、前ケースと後ケースとの接合部の上面１箇所に限って係合構造を設けた点が異なる。
【０００４】
【特許文献１】特開２００５−２３９１０号公報（段落番号００２１、図９）
【特許文献２】実用新案登録第２５１６４２８号公報（段落番号００１５、図１の拡大図）
【発明の開示】
【発明が解決しようとする課題】
【０００５】
上記のように、前ケースと後ケースとの係合構造を利用してファンケースを挟持固定するヘアードライヤーによれば、前ケース、後ケース、ファンケースの三者を、ぐらつきやがたつきのない状態で強固に連結固定できる。その反面、接合筒壁の外面に一体形成した係合突起と係合凹部との係合強度が大き過ぎるため、サービスセンター等において、本体ケース内のヒーターユニットやモーターユニットの補修や部品交換などを行う場合に、係合構造や周辺のケース構造を傷付けずに後ケースを前ケースから分解するのが困難となり、本体ケース内の部品の補修や交換に多くの手間と時間を要していた。
【０００６】
本発明の目的は、前ケースと後ケースとの係合構造を利用してファンケースを強固に挟持固定する一方、必要時には後ケースを前ケースから容易に分解でき、したがって本体ケース内の部品の補修や交換がより少ない手間で簡便に行える温風乾燥機を提供することにある。本発明の目的は、ベルマウス構造の導風筒を備えた後ケースの吸風構造を簡素化し、吸込グリルの後ケースに対する組み付けがより少ない手間で簡便に行え、その分だけ製造コストを削減できる温風乾燥機を提供することにある。
【課題を解決するための手段】
【０００７】
本発明の温風乾燥機は、中空筒状の本体ケース１の内部に、乾燥風を送給する送風ユニット３と、送風ユニット３から送出される乾燥風を加熱するヒーターユニット４とが設けてある。本体ケース１は、前ケース１０と、前ケース１０に対して係合装着される後ケース１１とで構成し、前後ケース１０・１１の接合部分に設けられる係合構造を利用して、送風ユニット３のファンケース１７を挟持固定する。その係合構造は、前ケース１０の後端周面に設けた係合爪３６と、後ケース１１の前端内面に設けた係合凹部３８とで構成する。前ケース１０の後端周面に形成される一対のスリット４０間には、係合爪３６を配置して、係合爪３６を内外方向へ弾性変形可能に構成してある。
【０００８】
具体的には、前ケース１０とファンケース１７との接合部分に、互いに係合してファンケース１７が周方向へ回転するのを阻止する位置決め構造を設け、ファンケース１７の前ケース１０との接合部に、係合爪３６の弾性変形を許す逃げ凹部２０を凹み形成する。そして、位置決め構造は、前ケース１０とファンケース１７との一方に設けられる位置決め突起４１と、他方に設けられて位置決め突起４１に係合する位置決め凹部２１とで構成することができる。
【０００９】
係合爪３６の周方向両側に設けたスリット４０に連続して位置決め突起４１を形成し、後ケース１１の後部内面にベルマウス構造の導風壁４６を一体に形成することができる。
【００１０】
後ケース１１の吸込口１３は吸込グリル１４で覆う。その吸込グリル１４は、筒周壁１４ａと、通気自在なグリル主壁１４ｂと、筒周壁１４ａの周方向複数箇所に設けられる掛止脚片１４ｃとを備えている。後ケース１１と導風壁４６とは、溝内周壁４７と溝内奥壁４８とを介して一体化し、後ケース１１の後端内面と溝内周壁４７との間に、吸込グリル１４の筒周壁１４ａを受け入れる装着溝４９を形成する。吸込グリル１４の掛止脚片１４ｃは、装着溝４９の内奥に設けた挿通口５２に挿通して、溝内奥壁４８に折り曲げ掛止することができる。
【００１１】
装着溝４９の内奥に設けた挿通口５２は、斜め内向きに傾斜する状態で形成し、吸込グリル１４の掛止脚片１４ｃを挿通口５２に挿通した状態において、掛止脚片１４ｃが挿通口５２で屈曲案内されて、吸込グリル１４を後ケース１１に仮止め固定できるようにすることができる。
【発明の効果】
【００１２】
本発明の温風乾燥機では、送風ユニット３やヒーターユニット４などが収容される本体ケース１が、前ケース１０と後ケース１１とで構成され、前後ケース１０・１１の接合部分に設けた係合構造を利用してファンケース１７を挟持固定する。そのうえで、前ケース１０側の係合爪３６と、後ケース１１側の係合凹部３８とで係合構造を構成し、前ケース１０の後端周面に形成される一対のスリット４０の間に係合爪３６を配置した。
【００１３】
このように一対のスリット４０間に設けた係合爪３６は、内外方向へ弾性変形可能となるので、必要時には後ケース１１を上向きにこじり操作することにより、係合爪３６を弾性変形させながら係合凹部３８から容易に離脱させることができる。したがって、本発明の温風乾燥機によれば、前ケース１０と後ケース１１との係合構造を利用してファンケース１７を強固に挟持できる一方、分解の必要がある場合には、後ケース１１を前ケース１０から容易に取り外すことができ、本体ケース１内に収容された部品の補修や交換がより少ない手間で簡便に行える。
【００１４】
前ケース１０とファンケース１７との接合部分に、位置決め突起４１と位置決め凹部２１とからなる位置決め構造を設けた温風乾燥機によれば、ファンケース１７を前ケース１０に組み付けて位置決めした後に、後ケース１１を前ケース１０に接合することにより、後ケース１１で覆われて目視することができないファンケース１７を、前ケース１０で適正な組み付け姿勢に維持し続けることができる。したがって、前後ケース１０・１１を組み付ける際のファンケース１７の組み付け不良を一掃して組み立て作業の信頼性を向上できる。ファンケース１７の組み付け不良がないので、組み付け不良に伴う前後ケース１０・１１の分解、再組み立てなどの余分な手間が省ける。
【００１５】
位置決め突起４１をスリット４０に連続して形成したケース構造によれば、係合爪３６の周方向両側、すなわち係合爪３６に最も近い部分で前ケース１０とファンケース１７とを位置決めできるので、例えば、位置決め突起４１が係合爪３６から遠く離れた位置に設けてある場合に比べて、ファンケース１７に形成した逃げ凹部２０と係合爪３６とを適正に対向させて、弾性変形するときの係合爪３６が逃げ凹部２０の周囲壁などに引っ掛かるのを確実に防止できる。したがって、係合爪３６を係合凹部３８から円滑に離脱させて、前後ケース１０・１１を簡便に分解することができる。
【００１６】
ベルマウス構造の導風壁４６が後ケース１１の後部内面に一体に形成されたケース構造によれば、導風壁４６が独立部品として形成してある場合に比べて、部品点数を削減できる分だけ製造コストを削減できる。さらに、後ケース１１の後部周壁と導風壁４６とは、均一な対向隙間で正しく同心状に配置できるので、導風壁４６の内部における空気の流れを周方向へ均一化して吸風効率の向上を図れる。導風壁４６が独立した部品として形成してある場合の、がたつき音の発生も一掃できる。
【００１７】
後ケース１１と導風壁４６とを、溝内周壁４７と溝内奥壁４８とを介して一体化し、以て、後ケース１１の後端内面と溝内周壁４７との間に、吸込グリル１４の筒周壁１４ａ用の装着溝４９を形成し、溝内奥壁４８に挿通口５２を設けたケース構造によれば、吸込グリル１４の掛止脚片１４ｃを挿通口５２に挿通したうえで、掛止脚片１４ｃを溝内奥壁４８に折り曲げ掛止することにより、吸込グリル１４を後ケース１１に少ない手間で簡便に固定でき、例えば吸込グリル１４を後ケース１１に溶着固定していた従来構造に比べて、吸込グリル１４を固定するための構造を簡素化して、その分だけ温風乾燥機の製造コストを削減できる。
【００１８】
挿通口５２が斜め内向きに傾斜する状態で形成されていると、吸込グリル１４の掛止脚片１４ｃを挿通口５２に挿通した状態において、掛止脚片１４ｃが挿通口５２に案内されて、斜めに変形された状態で前開口から突出するので、吸込グリル１４を後ケース１１に対して仮止め固定でき、挿通口５２が真っ直ぐに形成してある場合に比べて、吸込グリル１４の後ケース１１に対する組み付けがより少ない手間で簡単に行える。仮組み状態において掛止脚片１４ｃが斜めに傾いているので、掛止脚片１４ｃを折り曲げて溝内奥壁４８に密着掛止させる作業を能率よく行える。
【発明を実施するための最良の形態】
【００１９】
図１ないし図７は本発明をヘアードライヤー（温風乾燥機）に適用した実施例を示す。図２においてヘアードライヤーは、中空筒からなる本体ケース１と、本体ケース１に対して軸６を中心にして折り畳み可能に連結されたグリップ２とを備えている。本体ケース１の内部には、乾燥風を送給する送風ユニット３と、送風ユニット３から送出される乾燥風を加熱するヒーターユニット４と、イオン発生装置などが収容されている。符号５は本体ケース１の前端に着脱可能に圧嵌装着される吹出ノズルである。
【００２０】
グリップ２の前面には、風量と温度状態を制御する電源スイッチノブ７と、ヒーターへの通電を遮断するクールボタン８とが設けてある。符号７ａは電源スイッチノブ７で切り換え操作されるスイッチ、８ａはクールボタン８で切り換え操作されるスイッチである。
【００２１】
図１および図３において本体ケース１は、その殆どを占める前すぼまり筒状の前ケース１０と、前ケース１０の後端に係合装着される後ケース１１とで構成されている。前ケース１０の下面後部と、後ケース１１の下面前部には、グリップ２を接続するための連結片１２がそれぞれ下向きに突設してある。後ケース１１の後端の吸込口１３は、吸込グリル１４で覆われている。
【００２２】
図３において送風ユニット３は、軸流式のファン１５と、ファン１５を回転駆動するモーター１６と、これら両者１５・１６を収容する円筒状のファンケース１７とを含む。ファンケース１７の内面中央部分にはモーターホルダー１８が一体に形成してあり、モーターホルダー１８とファンケース１７の周壁との間に整流翼が形成されている。ファンケース１７の筒壁外面には、前ケース１０および後ケース１１で挟持固定されるフランジ壁１９が張り出し形成されており、その前面側周縁の３個所に逃げ凹部２０が切り欠き形成され、逃げ凹部２０の周方向両側に位置決め凹部２１を形成してある。符号２２は逃げ凹部２０と位置決め凹部２１との間に形成された突壁である（図１参照）。これらの部材の機能等は改めて後述する。
【００２３】
送風ユニット３は、ヒーターユニット４と一体化した状態で前ケース１０に組み込む。図３においてヒーターユニット４は、前すぼまり円筒状の遮熱筒２５と、遮熱筒２５の内部において十文字状に組まれる絶縁枠２６と、絶縁枠２６のまわりに螺旋状に巻き付けられるヒーター２７とを含む。
【００２４】
各絶縁枠２６の前部中央はコ字状にくり抜かれており、このくり抜き部分にイオン発生装置を配置してある。図３においてイオン発生装置は、耐熱プラスチック製の円筒状の断熱ケース２８と、断熱ケース２８内に収容されるユニット部品化された放電電流調整器と、放電部２９とを含む。
【００２５】
放電電流調整器は、整流回路およびパルス発生回路などの回路構成部品と、トランスなどを断熱ケース２８内に封入して形成してあり、モーターホルダー１８の前端内面に装填される。放電部２９は、電極ホルダー３０に固定した針状の放電電極３１と、放電電極３１の周囲を囲むリング状の対向電極３２と、両電極３１・３２の間を絶縁する誘電筒３３とを含む。放電部２９の前方には、吹出グリル９と、プラスチック製の防護枠３４を配置してある。
【００２６】
前ケース１０にヒーターユニット４やファンユニット３を装填したのち、後ケース１１を前ケース１０に係合装着することにより、前後ケース１０・１１とファンケース１７との三者を、ぐらつきやがたつきのない状態で強固に連結固定する。そのために、前後ケース１０・１１の接合部分に係合構造を設けて、両ケース１０・１１を分離不能に連結固定し、同時にファンケース１７を挟持固定する。
【００２７】
詳しくは、図１に示すように、前ケース１０の後端に後ケース１１を外嵌装着するための接合筒壁３５を後ろ向きに突設し、筒壁の上部周面の中央と、筒壁の左右周面との３個所に係合爪３６を形成する。さらに、後ケース１１の内面前部に、接合筒壁３５に外嵌する接合穴３７を形成し、各係合爪３６と対応する穴内面に係合凹部３８を凹み形成する。３個ずつ設けた係合爪３６と係合凹部３８とで先の係合構造を構成している。
【００２８】
各係合爪３６の周方向両端は、接合筒壁３５の後縁から前方へ向かって形成した一対のスリット４０によって分断されていて、爪の基端部分のみが接合筒壁３５と連続している。したがって、係合爪３６は接合筒壁３５の径方向内外へ弾性変形でき、これによって、係合凹部３８への落ち込み係合を確実に行えるのはもちろん、係合凹部３８からの離脱を容易化できる。ファンケース１７の逃げ凹部２０は、係合爪３６が係合凹部３８から接合穴３７へ乗り上がるときの接触干渉を防ぐために設けられている。
【００２９】
前ケース１０とファンケース１７との接合部分には、ファンケース１７を周方向へ回転するのを阻止する位置決め構造と、前ケース１０とファンケース１７を径方向へ位置決めする接合構造とが設けてある。図１および図４において、位置決め構造は、先のスリット４０に連続して設けた一対の位置決め突起４１と、ファンケース１７側に凹み形成された一対の位置決め凹部２１とで構成する。これらの位置決め構造に加えて、スリット４０と、スリット４０に係合するファンケース１７側の突壁２２も位置決めを行うのに役立っている。
【００３０】
両ケース１０・１７を径方向へ位置決めする接合構造は、接合筒壁３５の上半周面の左右に形成された部分円弧状の接合壁４２と、接合筒壁３５の下半周面の左右に設けられた部分円弧状の接合壁４３と、これらの接合壁４２・４３に対応してファンケース１７の周壁前端に凹み形成された接合溝４４とで構成してある。先の位置決め突起４１と位置決め凹部４２、および接合壁４２・４３と接合溝４４とは、係合爪３６と係合凹部３８との係合に先行して互いに係合し、これにより前ケース１０とファンケース１７とを位置決めした状態下で、後ケース１１を前ケース１０に係合装着できる。
【００３１】
後ケース１１の後端の吸込口１３に面して、ファン１５による騒音を抑止するベルマウス構造の導風壁４６が一体に形成されており、その外面が吸込グリル１４で覆われている。吸込グリル１４は、断面円形の筒周壁１４ａと、部分球面状の通気自在なグリル主壁１４ｂと、筒周壁１４ａの周方向４箇所に設けられる掛止脚片１４ｃとを一体に形成したプレス成形品であり、後述するように後ケース１１に装着固定される。吸込グリル１４は、アルミニウム板材、薄鋼板、ステンレス薄板などの金属板材を素材にして形成してある。
【００３２】
図７において後ケース１１と先の導風壁４６とは、溝内周壁４７と溝内奥壁４８とを介して一体成形してある。これにより、後ケース１１の後端内面と溝内周壁４７との間には、吸込グリル１４の筒周壁を受け入れる装着溝４９が形成される。前すぼまりに形成される導風壁４６の後部周縁には、一群の吸気口５０を形成してある。後ケース１１を前ケース１０に組み付けた状態においては、導風壁４６の前部はファンケース１７の後筒壁の内面に臨んでいて、両者間にリング状の吸気隙間Ｅが形成される（図３参照）。
【００３３】
ファン１５で吸い込まれる空気の殆どは、導風壁４６の内面に案内されながら加速され、ファンブレードで捻られ、整流翼で整流されてケース前方へと送給される。通常、ファンブレードの先端付近においては、空気の流れとは逆向きに反転する渦流が生じる。渦流が発生するのは、導風壁４６の内面に案内された加速空気により、吸気隙間Ｅの前方周辺部分が負圧となり、ファンブレードの先端付近の空気が負圧領域へ向かって後方へ流れるのが要因である。しかし、図３に示すように、導風壁４６の内面に沿う主流路とは別に、吸気口５０から導風壁４６の外面に沿って吸気隙間Ｅに至る副流路を設けてあると、吸気口５０から吸い込まれた空気は、吸気隙間Ｅの前方周辺に流れ込むので、先に説明した負圧領域の発生を解消できる。したがって、渦流に起因するファン騒音を抑止できる。
【００３４】
吸込グリル１４は、先の装着溝４９を利用して後ケース１１に組み付けるが、組み付け作業をより少ない手間で簡便に行うために、装着溝４９の溝内奥壁４８に斜め内向きに傾斜する挿通口５２を形成した。吸込グリル１４の掛止脚片１４ｃは、自由状態において真っ直ぐであるが、掛止脚片１４ｃを後方から装着溝４９を介して挿通口５２に差し込むと、図７に示すように、掛止脚片１４ｃの一部が挿通口５２に沿って斜め内向きに塑性変形された状態で、挿通口５２の前開口から突出する。
【００３５】
つまり、吸込グリル１４を装着溝４９に差し込み操作するだけで、掛止脚片１４ｃを斜め内向きに変形させて、自動的に仮組み固定できる。最後に、先の突出部分を矢印で示すように内向きに折り曲げることにより、図３に示すように掛止脚片１４ｃを溝内奥壁４８の前面に沿わせて掛止し、吸込グリル１４を後ケース１１に固定できる。
【００３６】
前後ケース１０・１１の組み立ては以下の要領で行う。まず、前ケース１０の内部に、吹出グリル３３およびイオン発生装置と、ヒーターユニット４と、送風ユニット３などを組み込む。このとき、前後ケース１０とファンケース１７とは、図５に示すように位置決め突起４１および位置決め凹部２１で周方向に位置決めされ、同時に図６に示すように接合壁４２・４３および接合溝４４で径方向に位置決めされる。
【００３７】
上記の状態で後ケース１１の接合穴３７を、前ケース１０の接合筒壁３５に後方から差し込んで、図３に示すように係合爪３６を係合凹部３８に落ち込み係合させることにより、前後ケース１０・１１とファンケース１７との三者を一体的に固定する。前後ケース１０・１１を係合装着した状態においては、ファンケース１７のフランジ壁１９の後面が、後ケース１１の接合穴３７の後端で受け止められており、フランジ壁１９の前面が、前ケース１０の接合筒壁３５の後端面で受け止められている。したがって、ファンケース１７は前後に遊動する余地のない状態で、前後ケース１０・１１で挟持固定される。
【００３８】
送風ユニット３やヒーターユニット４の補修や部品交換などを行う場合には、本体ケース１からグリップ２を取り外したのち、前ケース１０の後部左右を片手で同時に押し付けて、接合筒壁３５を撓み変形させ、その状態で後ケース１１の全体を上向きにこじり操作する。これにより、下半周側の接合壁４３と接合溝４４とが分離し、まず左右の係合爪３６が、次いで上部中央の係合爪３６が、ケース内面側へ押されて係合凹部３８から徐々に離脱する。したがって、係合爪３６やその周辺構造を傷付けることもなく、後ケース１１を前ケース１０から容易に分解できる。
【００３９】
位置決め構造は図８に示すように構成することができる。なお、先の実施例と同じ部材には同じ符号を付して、その説明を省略する。図８（ａ）ではスリット４０の幅を小さくして、その両側に位置決め突起を設けるようにした。図８（ｂ）では係合爪３６から離れた位置に位置決め構造を設けるようにした。
【００４０】
上記の実施例以外に、係合爪３６は前後ケース１０・１１の周方向の少なくとも１箇所に設けてあればよい。必要があれば、３箇所以上に係合爪３６を設けることができる。本発明はヘアードライヤー以外に、洗面所用のハンドドライヤー、足用のドライヤー、ボディドライヤー、ペット用ドライヤーなどの各種の温風乾燥装置にも広く適用できる。
【図面の簡単な説明】
【００４１】
【図１】ヘアードライヤー後部の分解断図である。
【図２】ヘアードライヤーの側面図である。
【図３】ヘアードライヤーの縦断側面図である。
【図４】前後ケースの接合構造を示す、分解斜視図である。
【図５】後ケースの一部を破断した側面図である。
【図６】図３におけるＡ−Ａ線断面図である。
【図７】吸込グリルの組み付け過程を示す断面図である。
【図８】位置決め構造の別実施例を示す要部の断面図である。
【符号の説明】
【００４２】
１  本体ケース
３  送風ユニット
４  ヒーターユニット
１０  前ケース
１１  後ケース
１７  ファンケース
３６  係合爪
３８  係合凹部
４０  スリット
【図１】
2006305014.tif 000003
【図２】
2006305014.tif 000004
【図３】
2006305014.tif 000005
【図４】
2006305014.tif 000006
【図５】
2006305014.tif 000007
【図６】
2006305014.tif 000008
【図７】
2006305014.tif 000009
【図８】
2006305014.tif 000010